(57)【要約】【課題】高所作業を廃止することで作業の安全確保、工期短縮及びコスト低減を達成できる垂直養生の架設方法を提供する。【解決手段】上端２に装備したアイボルト３にガイドロープ６を挿通して下端部４に装備するアイボルト５にガイドロープ６の両端Ａ、Ｂを結束して置く多階層に構成する柱１を２個以上建方し、柱１の建方後に、少なくとも２個の柱１におけるガイドロープ両端Ａ、Ｂの結束を開放し、ガイドロープの一端Ａ側に垂直養生ネット８の一側を堅結して垂直養生ネットの両側を張設し、しかる後にガイドロープの他端Ｂを引き寄せて垂直養生ネット８を垂直に架設している。【選択図】  図１
2004169484.tif 000002
【特許請求の範囲】
【請求項１】
上端に装備した挿通部材にガイドロープを挿通して下端部に装備する締結部材にガイドロープの両端を結束して置く柱を２個以上建方し、該柱の建方後に、少なくとも２個の柱におけるガイドロープ両端の結束を開放し、該ガイドロープの一端側に垂直養生ネットの一側を堅結して垂直養生ネットの両側を張設し、しかる後にガイドロープの他端を引き寄せて垂直養生ネットを垂直に架設する垂直養生の架設方法。
【請求項２】
柱が、多階層に構成されていることを特徴とする請求項１に記載の垂直養生の架設方法。
【請求項３】
挿通部材と締結部材が、少なくとも一方をアイボルトで構成することを特徴とする請求項１又は２に記載の垂直養生の架設方法。
【発明の詳細な説明】
【０００１】
【発明の属する技術分野】
本発明は、垂直養生の架設方法に関し、特に、高所作業を廃止して作業の安全確保、工期短縮及びコスト低減を達成できる垂直養生の架設方法に関する。
【０００２】
【従来の技術】
Ｓ造等の建物構築における躯体の施工に際して、飛来落下を防止するために行われる垂直養生の架設は、以下の理由から安全性の確保、工期的支障及びコストの高騰化の点で、自己矛盾する問題点を指摘されてきた。
【０００３】
▲１▼架設作業自体が高所作業になって飛来落下の危険性を孕んでいる。
▲２▼労務工数が増加して工程上の障害になり易い。
▲３▼上部での作業のために昇降設備や安全設備が必要になる。
【０００４】
これらの問題点を改善するために、従来から多くの検討が行われてきており、以下のような各種の提案もなされている。
【０００５】
【特許文献１】
特開平９−１４４３２６号公報（第３頁、段落番号０００９〜第４頁、段落番号００１５、図１〜４、７）
【０００６】
【特許文献２】
特開平９−１４４３２７号公報（第３頁、段落番号００１０〜第３頁、段落番号００１４、図１、４）
【特許文献３】
特開平１０−３１７６７９号公報（第３頁、段落番号００１５〜第３頁、段落番号００２６、図１〜３）
【０００７】
上記の各特許文献に記載されているものは、外部養生のネット移動を無足場で済ませるために、タワークレーンを用いずに盛り替え作業性、耐風性及び安全性を改善したり、高所作業を回避して安全性の向上を図ると共に、タワークレーンの本来的な作業を阻害させずに工期の短縮を図ろうとする提案である。
【０００８】
しかるに、これらの外部養生は、安全性を確保すると共にタワークレーンを用いずに工期上の障害は改善されているが、いずれも重装備な構成になっていることから、重要な課題であるコスト面での問題点を増強させる傾向にあるものであって、総合的な問題の解決には至っていなかった。
【０００９】
【発明が解決しようとする課題】
本発明は、上記の状況に鑑みてその問題点を改善するために提案するものであり、高所作業を廃止することで作業の安全確保、工期短縮及びコスト低減を達成できる垂直養生の架設方法を提供している。
【００１０】
【課題を解決するための手段】
本発明による垂直養生の架設方法は、上端に装備した挿通部材にガイドロープを挿通して下端部に装備する締結部材にガイドロープの両端を結束して置く柱を２個以上建方し、柱の建方後に、少なくとも２個の柱におけるガイドロープ両端の結束を開放し、ガイドロープの一端側に垂直養生ネットの一側を堅結して垂直養生ネットの両側を張設し、しかる後にガイドロープの他端を引き寄せて垂直養生ネットを垂直に架設することを基本しており、柱を多階層に構成することや挿通部材と締結部材の少なくとも一方をアイボルトで構成することを特徴としている。
【００１１】
本発明による垂直養生の架設方法は、上記の構成によって高所作業を廃止することで、垂直養生の架設において問題視されていた作業の安全確保、工期短縮及びコスト低減を達成している。
【００１２】
【発明の実施の形態】
本発明による垂直養生の架設方法は、上端に装備した挿通部材にガイドロープを挿通して下端部に装備する締結部材にガイドロープの両端を結束して置く柱を２個以上建方し、該柱の建方後に、少なくとも２個の柱におけるガイドロープ両端の結束を開放し、該ガイドロープの一端側に垂直養生ネットの一側を堅結して垂直養生ネットの両側を張設し、しかる後にガイドロープの他端を引き寄せて垂直養生ネットを垂直に架設し、柱を多階層に構成したり挿通部材と締結部材の少なくとも一方をアイボルトで構成している。
以下に、本発明による垂直養生の架設方法に関する実施の形態を図面に基づいて詳細に説明する。
【００１３】
図１は、本発明による垂直養生の架設方法において用いる多階層に構成した柱を斜視図で示している。
【００１４】
本実施の形態における柱１は、図示のように上端２の両側にアイボルト３、３を設けており、下端４から手が届く高さの両側にもアイボルト５、５を設けている。アイボルト３、５は、柱１の上下端に位置する所定点に溶接によって固着されているナット７、７に羅着されることで柱１に取り外し自在に装備されるものであり、垂直養生の架設が完了した後には、柱１から取り除いて他に転用することができる。
【００１５】
又、上端２のアイボルト３には１本のガイドロープ６が挿通されており、ガイドロープ６の両端部Ａ、Ｂは、下端４のアイボルト５に共に結束されている。
【００１６】
以上の操作によって、本発明による垂直養生の架設方法を実施するに際して必要になる、柱１の建方前における準備作業は完了することになる。
【００１７】
尚、柱１の上端２に配備するアイボルト３は、ガイドロープ６が摺動できる機能を発揮できれば十分であることから、これに限定されるものでなく、さらに移動が容易になる滑車等を採用することも可能であり、この他にも同様の機能を発揮できる各種の形態が対応できるものである。
【００１８】
図２は、柱建方の工程を示す図２（ａ）とその後における垂直養生の架設準備の工程を示す図２（ｂ）で表示している。
【００１９】
本実施の形態では、一工程において柱１を少なくとも２本構築するものであり、図２（ａ）に示すように一方の柱１を建方した後に、他方の柱１’を建方することで架設の準備工程を施工することになる。
【００２０】
柱建方が完了すると、下端４のアイボルト５に結束されているガイドロープ６の端部Ａ、Ｂのいずれか一方、例えば端部Ａのみをアイボルト５から開放している。
【００２１】
次いで、建方された両柱１、１’の間に張設するための養生ネット８を搬入しており、必要な場合には、ガイドロープ６の端部Ｂ側の結束も緩めて端部Ａ側に伸張させながら、図２（ｂ）に示すように両柱１、１’からの端部Ａを養生ネット８の両側上端９、９に堅結して、架設準備を完了している。
【００２２】
尚、本実施の形態では、両柱１、１’の間に養生ネット８を張設する例について説明したが、柱の建方と養生ネットとを一斉に張設する個数は、これに限定されるものでなく、任意数に随意に設定できるものである。
【００２３】
垂直養生の架設は、図３に示す工程の施工によっている。図３（ａ）は、張設された養生ネットの正面図であり、図３（ｂ）は、その側面図である。
【００２４】
本工程の実施の形態では、ガイドロープ６の端部Ｂ側を引き寄せることで、養生ネット８を両柱１、１’の間に拡張すると同時に、上方に引き上げて垂直養生の架設を行っている。ガイドロープ６の引き寄せは、図３（ａ）に示すように、端部Ａ側が柱１の上端２に配備されているアイボルト３に到達するまで行われるものであり、養生ネット８を柱１の上端２に迄張設させることで終了させることになる。
【００２５】
この段階では、ガイドロープ６を下端４のアイボルト５に係留し、養生ネット８の張設状態が維持されるように締結することで固定している。
【００２６】
又、養生ネット８の両柱１、１’に対する定着は、養生ネット８の下端に堅結したロープの端部を柱の下部に結束すると共に、柱の一層階のような中間部１０に対しては、図３（ｂ）に見られるように高所作業車１１を用いて養生ネット８の中間部に堅結したロープの端部を柱に結束することで、完成させることが出来る。
【００２７】
本実施の形態では、養生ネット８を柱３層階分に一気同時に架設しているものであり、これによって、アイボルト、ガイドロープ及び養生ネット等の盛替手間を減少させる効能を得ている。しかして、作業内容に合わせて１層毎に養生ネットを架設するようにする場合には、アイボルト、ガイドロープ及び養生ネット等の盛替手間が増加するが、アイボルト、ガイドロープ及び養生ネット等を転用させることで、材料費を削減してコストの低減化を可能にすると同時に高所作業車の使用を排除して、安全性の更なる向上を達成できる効能を得ることができる。
【００２８】
以上のように、本発明による垂直養生の架設方法は、実施の形態で明らかにしたように、高所作業を廃止することによって、垂直養生の架設において問題視されていた作業の安全性確保、工期の短縮及びコストの低減を達成している。
【００２９】
以上、本発明による垂直養生の架設方法を上記実施の形態に基づいて詳細に説明したが、本発明は、これらの実施の形態に何ら限定されるものでなく、発明の主旨を逸脱しない範囲において各種の変更が可能であることは当然のことである。
【００３０】
【発明の効果】
本発明による垂直養生の架設方法は、上端に装備した挿通部材にガイドロープを挿通して下端部に装備する締結部材にガイドロープの両端を結束して置く柱を２個以上建方し、柱の建方後に、少なくとも２個の柱におけるガイドロープ両端の結束を開放し、ガイドロープの一端側に垂直養生ネットの一側を堅結して垂直養生ネットの両側を張設し、しかる後にガイドロープの他端を引き寄せて垂直養生ネットを垂直に架設することを基本して、柱を多階層に構成することや挿通部材と締結部材の少なくとも一方をアイボルトで構成することを特徴としているので、高所での作業を廃止することによって以下の効果を発揮している。
【００３１】
▲１▼  架設時の飛来落下を防止して安全性を向上できる。
▲２▼  架設の労務工数を低減させて工期短縮と施工コストを低減できる。
▲３▼  昇降設備や安全設備が不要になって設備コストを低減できる。
【図面の簡単な説明】
【  図１】本発明による垂直養生の架設方法に用いる柱の建方前の斜視図
【  図２】本発明による垂直養生の架設方法における柱建方と養生ネットの結束工程図
【  図３】本発明による垂直養生の架設方法における養生ネットの架設工程図
【符号の説明】
１、１’  柱、  ２  上端、  ３、５  アイボルト、  ４  下端、
６  ガイドロープ、  ７  ナット、  ８  養生ネット、  ９  上端、
１０  中間部、  １１  高所作業車、  Ａ、Ｂ  ガイドロープの端部
【図１】
2004169484.tif 000003
【図２】
2004169484.tif 000004
【図３】
2004169484.tif 000005